(57)【要約】【課題】遊技機外部から通常電源以外の何らかの信号を遊技機に入力せずとも、遊技機の電源遮断中における遊技機の扉の開放による不正行為を防止し、遊技機側で扉の開放を検出した場合の対処を行うことが可能な遊技機を提供する。【解決手段】扉開放スイッチ３７を主制御装置３０に接続し、パチンコ機１０の電源が入り状態時には通常電源を用い、パチンコ機１０の電源が遮断状態時にはバックアップ電源を用いて前面枠１２の開閉状態の監視と前面枠１２の開閉状態を示す信号を外部接続端子３４ｇを介してホールメインコンピュータ４４に出力する。【選択図】        図８
2006223658.tif 000002
【特許請求の範囲】
【請求項１】
遊技の進行を司る主制御装置と、
遊技球の払出を制御する払出制御装置と、
必要な情報を遊技機外部に出力するための外部接続端子と、
開閉可能に装着された扉の開閉状態を検出する扉開放検出手段と、
遊技機の電源が入り状態時に前記主制御装置と前記払出制御装置に通常電源を供給する電源基板と、を備えた遊技機であって、
前記扉開放検出手段を前記主制御装置または前記払出制御装置に接続し、
前記扉開放検出手段が接続された前記主制御装置または前記払出制御装置である被接続制御装置は、遊技機の電源が遮断状態時には前記電源基板からバックアップ電源を供給され、
遊技機の電源が入り状態時には前記通常電源を用い、遊技機の電源が遮断状態時には前記バックアップ電源を用いて前記扉の開閉状態の監視と前記扉の開閉状態を示す信号を前記外部接続端子を介して遊技機外部に出力するようにし、遊技機外部に出力する前記扉の開閉状態を示す信号は、遊技機の電源状態に係らず、前記扉が閉鎖状態である場合には一定の所定信号を出力し続け、前記扉が開放状態である場合には該一定の所定信号を出力しないように設定したことを特徴とする遊技機。
【請求項２】
遊技の進行を司る主制御装置と、
遊技球の払出を制御する払出制御装置と、
必要な情報を遊技機外部に出力するための外部接続端子と、
開閉可能に装着された扉の開閉状態を検出する扉開放検出手段と、
遊技機の電源が入り状態時に前記主制御装置と前記払出制御装置に通常電源を供給する電源基板と、を備えた遊技機であって、
前記扉開放検出手段を前記主制御装置または前記払出制御装置に接続し、
前記扉開放検出手段が接続された前記主制御装置または前記払出制御装置である被接続制御装置は、蓄電部材を備え、
遊技機の電源が入り状態時には前記通常電源を用い、遊技機の電源が遮断状態時には前記蓄電部材を用いて前記扉の開閉状態の監視と前記扉の開閉状態を示す信号を前記外部接続端子を介して遊技機外部に出力するようにし、遊技機外部に出力する前記扉の開閉状態を示す信号は、遊技機の電源状態に係らず、前記扉が閉鎖状態である場合には一定の所定信号を出力し続け、前記扉が開放状態である場合には該一定の所定信号を出力しないように設定したことを特徴とする遊技機。
【請求項３】
前記蓄電部材は、遊技機の電源が入り状態時に前記通常電源によって充電されることを特徴とする請求項２に記載の遊技機。
【請求項４】
前記扉が閉鎖状態であれば前記被接続制御装置と前記扉開放検出手段が導通し、前記扉が開放状態であれば前記被接続制御装置と前記扉開放検出手段が非導通になるように設定したこと特徴とする請求項１ないし３のいずれか１つに記載の遊技機。
【請求項５】
遊技機の電源が遮断状態時に扉開放検出手段によって扉の開放が検出された場合、遊技機の電源復旧後に遊技機が通常状態とは異なるエラー状態になることを特徴とする請求項１ないし４のいずれか１つに記載の遊技機。
【請求項６】
遊技機の電源が遮断状態時に前記扉開放検出手段によって前記扉の開放が検出された場合、前記被接続制御装置に設けられている記憶手段に前記扉の開放情報を記憶することを特徴とする請求項１ないし５のいずれか１つに記載の遊技機。
【発明の詳細な説明】
【技術分野】
【０００１】
本発明は、扉の開閉を監視する扉開放スイッチを備えた遊技機に関する。
【背景技術】
【０００２】
従来、遊技機の扉の監視方法は、扉の開閉を監視する扉開放検出手段を備え、該扉開放検出手段を外部接続端子に直接接続し、ホールメインコンピュータ（遊技機外部）に扉の開閉状態を示す信号を出力している。具体的には、ホールメインコンピュータから扉開放検出手段に電気を流し、導通していればホールメインコンピュータは扉が開放されていると判断し、非導通であれば扉が閉まっていると判断している。しかし、従来技術のように、通常電源以外に遊技機外部から遊技機に信号（電流も含む）が入力される構成の場合、その入力線を利用して不正が行われる可能性がある。また、配線が多くなり、正規の線なのか不正の線なのかを判断するのに時間かかってしまい、不正に取り付けられた線の発見を遅らせてしまう原因となる。さらに、扉が閉まっている状態では非導通であるため、扉が閉まっている状態（非導通状態）のときに外部接続端子とホールメインコンピュータを繋ぐ線を切断してから扉が開放されるとホールメインコンピュータにて扉が開放していることを判断できず、不正が行われてしまう。
【０００３】
また、扉を開放してなされる不正行為を防止するために、特許文献１のように、遊技機の電源が入っている状態において、扉が開放されたことを検出すると、その扉が開放された遊技機の電源をホールメインコンピュータが遮断する構成、また、扉開放検出手段を主制御装置に接続する構成も提案されている。しかし、特許文献１の構成の遊技機においては、遊技機の電源が遮断されている場合には、バックアップ電源としての電池を用いてＲＡＭに書き込まれたデータを保存することはできるが、扉開放検出手段が断電してしまうため、扉の開閉の監視を行うことができない。したがって、電源が遮断されている時に行われる以下のような不正に対しては対処できない。即ち、遊技店が閉店した後に、不正を行う者が遊技店に忍び込み、電源が遮断された遊技機の扉を開け、遊技プログラムの改竄や遊技釘を曲げ入賞口に遊技球が入りやすくするなどの不正を行う。そして、翌日、通常通り店員により遊技機の電源が入れられ、不正が行われた遊技台にて不正を行った者が遊技することになる。
【０００４】
そこで、特許文献２に記載のように、内部電気部品に供給される電源とは別に遊技機外部（例えばホールメインコンピュータ）から扉開放検出手段に電源を供給することにより、電源遮断中であっても扉の開閉の監視を行うことができるようにしているものがある。さらに、この特許文献２では、ホールメインコンピュータと扉開放検出手段とを電気的に接続し、扉が閉鎖しているときにはホールメインコンピュータから出力される電流が扉開放検出手段に流れるようにし、扉が開放しているときにはホールメインコンピュータから出力される電流が扉開放検出手段に流れないようにしている。これにより、遊技機外部から扉開放検出手段に電源を供給するための線が切断されても開放されたと判断できる。なお、特許文献２では、ホールメインコンピュータから扉開放検出手段に電流を流す構成ではなく、例えば専用の乾電池やバッテリーから扉開放検出手段に電源を与える構成も記載されている。
【特許文献１】特開２００２−３４６１６９号公報
【特許文献２】特開２００１−００９１３７号公報
【発明の開示】
【発明が解決しようとする課題】
【０００５】
特許文献１では、上記した課題の他、例えば、客が遊技をしている最中に、盤面上に配置されている釘によって遊技球が引っかかってしまい、店員がその状態を解消しようとするだけでも遊技機の電源が遮断されてしまうという課題が生じる。その結果、球詰りは直ぐに解消されても、遊技者は電源の遮断から復帰までの時間をひたすら待つことになる。また、特許文献２は、従来の構成と同じように遊技機外部から遊技機に通常電源以外の信号（電流）が入力されるので、その入力線を不正に利用されたり、不正の発見を遅らせる原因になってしまう。また、扉の開閉状態をホールメインコンピュータでは把握できるが、遊技機側（主制御装置等）では把握できない構成であるため、扉の開放を検出した場合におけるエラー報知等の対処を遊技機側が行うことができないという課題もある。また、乾電池やバッテリーから扉開放検出手段に電源を供給する構成にした場合、常に乾電池やバッテリーから扉開放検出手段に電源を供給することになり、乾電池やバッテリーの蓄電量が直ぐに無くなってしまう。
【０００６】
本発明は上記に鑑みてなされたもので、遊技機外部から通常電源以外の何らかの信号（電流）を遊技機に入力せずとも、電源遮断中における扉の開放による不正行為を防止し、遊技機側で扉の開放を検出した場合における対処を行うことが可能であり、遊技者の遊技中に、扉を開放させる必要が生じて遊技機の扉を開放させても、遊技者の遊技の妨げになる状態とならない遊技機を提供することを目的とする。
【課題を解決するための手段】
【０００７】
上記目的を達成するため、請求項１に記載の遊技機は、遊技の進行を司る主制御装置と、遊技球の払出を制御する払出制御装置と、必要な情報を遊技機外部に出力するための外部接続端子と、開閉可能に装着された扉の開閉状態を検出する扉開放検出手段と、遊技機の電源が入り状態時に前記主制御装置と前記払出制御装置に通常電源を供給する電源基板と、を備えた遊技機であって、前記扉開放検出手段を前記主制御装置または前記払出制御装置に接続し、前記扉開放検出手段が接続された前記主制御装置または前記払出制御装置である被接続制御装置は、遊技機の電源が遮断状態時には前記電源基板からバックアップ電源を供給され、遊技機の電源が入り状態時には前記通常電源を用い、遊技機の電源が遮断状態時には前記バックアップ電源を用いて前記扉の開閉状態の監視と前記扉の開閉状態を示す信号を前記外部接続端子を介して遊技機外部に出力するようにし、遊技機外部に出力する前記扉の開閉状態を示す信号は、遊技機の電源状態に係らず、前記扉が閉鎖状態である場合には一定の所定信号を出力し続け、前記扉が開放状態である場合には該一定の所定信号を出力しないように設定したことを特徴とする。
【０００８】
ここで、「扉」とは、例えば遊技機の前面に設けられた扉，ガラスが設けられた扉，遊技盤が設けられた扉，上皿や下皿の扉などが挙げられ、このうちの１つの扉であってもよいし、複数の扉であってもよい。「扉開放検出手段」とは、扉の開閉状態を検出できれば、マイクロスイッチ，近接スイッチ，光電スイッチ等の適宜手段を用いてよい。「扉の開閉状態の監視」とは、例えば扉開放検出手段に電気を流し、導通しているか否かによって扉が開放されているか否かを判断することなどが挙げられる。「遊技機外部」とは、例えばホールメインコンピュータなどが挙げられる。「外部接続端子を介して遊技機外部に出力され」とは、信号が外部接続端子を介して遊技機外部に出力される構成であれば、被接続制御装置から外部接続端子を介して遊技機外部に信号が出力される構成であってもよいし、扉開放検出手段から外部接続端子を介して遊技機外部に信号が出力される構成などであってもよい。ここで、外部接続端子にフォトカプラなどの不可逆性情報伝達手段を設ける構成としてもよい。「一定の所定信号を出力し続け」とは、例えば予め設定された一定量の電流を遊技機外部へ出力し続けることなどが挙げられる。「一定の所定信号を出力しない」とは、全く信号を出力しない構成であってもよいし、扉が閉鎖状態である場合に出力する前記一定の所定信号とは異なる信号を出力する構成としてもよい。即ち、扉が開いていても閉じていても電流を流しておく構成にし、扉が開いているときと閉まっているときとで電圧あるいは電流の大きさを変更してもよい。
【０００９】
請求項２に記載の遊技機は、遊技の進行を司る主制御装置と、遊技球の払出を制御する払出制御装置と、必要な情報を遊技機外部に出力するための外部接続端子と、開閉可能に装着された扉の開閉状態を検出する扉開放検出手段と、遊技機の電源が入り状態時に前記主制御装置と前記払出制御装置に通常電源を供給する電源基板と、を備えた遊技機であって、前記扉開放検出手段を前記主制御装置または前記払出制御装置に接続し、前記扉開放検出手段が接続された前記主制御装置または前記払出制御装置である被接続制御装置は、蓄電部材を備え、遊技機の電源が入り状態時には前記通常電源を用い、遊技機の電源が遮断状態時には前記蓄電部材を用いて前記扉の開閉状態の監視と前記扉の開閉状態を示す信号を前記外部接続端子を介して遊技機外部に出力するようにし、遊技機外部に出力する前記扉の開閉状態を示す信号は、遊技機の電源状態に係らず、前記扉が閉鎖状態である場合には一定の所定信号を出力し続け、前記扉が開放状態である場合には該一定の所定信号を出力しないように設定したことを特徴とする。
【００１０】
ここで、「蓄電部材」とは、例えば蓄電池やコンデンサなどが挙げられる。
【００１１】
請求項３に記載の遊技機は、前記蓄電部材は、遊技機の電源が入り状態時に前記通常電源によって充電されることを特徴とする。
【００１２】
請求項４に記載の遊技機は、前記扉が閉鎖状態であれば前記被接続制御装置と前記扉開放検出手段が導通し、前記扉が開放状態であれば前記被接続制御装置と前記扉開放検出手段が非導通になるように設定したこと特徴とする。
【００１３】
請求項５に記載の遊技機は、遊技機の電源が遮断状態時に扉開放検出手段によって扉の開放が検出された場合、遊技機の電源復旧後に遊技機が通常状態とは異なるエラー状態になることを特徴とする。
【００１４】
ここで、「遊技機が通常状態とは異なるエラー状態」とは、例えば図柄表示装置に扉の開放状態を表示したり、スピーカ、ランプなどによって音や光でエラー報知をしてもよいし、遊技球の発射を出来なくしたり遊技機の電源が入らないようにして遊技が出来ない状態にしてもよい。さらに、主制御装置と扉開放検出手段を接続する構成の場合、当りかハズレかの抽選を行わないようにしたり、また、払出制御装置と扉開放検出手段を接続する構成の場合、遊技球が入賞口に入賞しても賞球を払い出さないようにしてもよい。
【００１５】
請求項６に記載の遊技機は、遊技機の電源が遮断状態時に前記扉開放検出手段によって前記扉の開放が検出された場合、前記被接続制御装置に設けられている記憶手段に前記扉の開放情報を記憶することを特徴とする。
【００１６】
ここで、「記憶手段」とは、例えば被接続制御装置に備えられたＲＡＭなどが挙げられる。「扉の開放情報」とは、例えば扉の開放が何時に、どの位の時間、何回行われたかなどが挙げられる。「記憶手段に扉の開放情報を記憶する」とは、賞球の未払いなどを通常遊技中に記憶するＲＡＭ（遊技機の電源が投入されているときに更新可能なＲＡＭ）に扉の開放情報を記憶してもよいし、扉の開放を記憶するためのＲＡＭ（遊技機の電源が遮断されているときに更新可能なＲＡＭ）を別に設けて該ＲＡＭに扉の開放情報を記憶してもよい。
【発明の効果】
【００１７】
請求項１の発明によれば、扉開放検出手段を主制御装置または払出制御装置に接続し、遊技機の電源が入り状態時には通常電源を用いて扉の開閉状態の監視と扉の開閉状態を示す信号を外部接続端子を介して遊技機外部に出力する構成としたため、遊技機外部から通常電源以外の何らかの信号（電流）が遊技機に入力されずとも、扉の開閉状態を遊技機外部で判別し、遊技機側（遊技機にとって重要な制御を行う主制御装置または払出制御装置）でも扉の開閉状態を把握することができる。これにより、遊技機外部から通常電源以外の何らかの信号（電流）を遊技機に入力せずに、扉の開放による不正行為を防止し、遊技機側で扉の開放を検出した場合の対処（例えば、被接続制御装置からサブ制御基板（電飾制御装置および音声制御装置）等にエラー報知を行う旨の信号の送信）を行うことができる。
【００１８】
また、遊技機の電源が遮断状態時には、バックアップ電源を用いて扉の開閉状態の監視と扉の開閉状態を示す信号を外部接続端子を介して遊技機外部に出力する構成としたため、電源遮断中において、上記効果である遊技機外部から通常電源以外の何らかの信号（電流）を遊技機に入力せずに、扉の開放による不正行為を防止し、遊技機側で扉の開放を検出した場合の対処を行うことができるという効果を発揮できる。また、電源遮断中に使用されるバックアップ電源が全て電源基板から供給されるため、制御が複雑化しない。
【００１９】
また、遊技機外部に出力する扉の開閉状態を示す信号は、遊技機の電源状態に係らず、扉が閉鎖状態である場合には一定の所定信号を出力し続け、扉が開放状態である場合には該一定の所定信号を出力しない構成としたため、一定の所定信号を出さない場合には扉が開放し異常状態であると判断される。これにより、遊技機外部（例えばホールメインコンピュータ）と外部接続端子とを繋ぐ線や、被接続制御装置と外部接続端子を結ぶ線、電源基板と被接続制御装置とを繋ぐ線を切断した場合には、一定の所定信号が出力されなくなることから、異常状態であることがわかり、該線を切断することにより行われる不正を防止することができる。
【００２０】
請求項２の発明によれば、被接続制御装置は、蓄電部材を備え、遊技機の電源が遮断状態時には蓄電部材を用いて扉の開閉状態の監視と扉の開閉状態を示す信号を外部接続端子を介して遊技機外部に出力する構成としたため、遊技機の電源が遮断時に制御情報を記憶保持するために用いる電源と、扉の開閉状態の監視や扉の開閉状態を示す信号の出力で用いる電源とは異なっており、これにより、蓄電部材とバックアップ電源の消費電気量を分散させ、蓄電量の急激な減少を回避することができる。
【００２１】
また、遊技機の電源が遮断時における扉の開閉状態の監視や扉の開閉状態を示す信号の出力を行うために使用する電源の（電源基板と被接続制御装置とを繋ぐ）供給線がないため、電源基板と被接続制御装置とを繋ぐ線を切断することによる不正行為は生じない。
【００２２】
請求項３の発明によれば、蓄電部材は、遊技機の電源が入り状態時に通常電源によって充電される構成としたため、扉の閉鎖中に信号を出力状態とする蓄電量の消費が大きい構成においても、直ぐに蓄電量が無くなることを防止できる。
【００２３】
請求項４の発明によれば、扉が閉鎖状態であれば被接続制御装置と扉開放検出手段が導通し、扉が開放状態であれば被接続制御装置と扉開放検出手段が非導通になる構成としたため、被接続制御装置と扉開放検出手段を結ぶ線を切断した場合には、被接続制御装置と扉開放検出手段が非導通となることから、異常状態であることがわかり、該線を切断することにより行われる不正を防止することができる。
【００２４】
請求項５の発明によれば、遊技機の電源が遮断状態時に扉開放検出手段によって扉の開放が検出された場合、遊技機の電源復旧後に遊技機が通常状態とは異なるエラー状態になる構成としたため、遊技機の電源遮断状態時に行われる不正による被害を最小限に抑えられることができる。
【００２５】
また、遊技機の電源が遮断状態時における扉開放の検出に対してのみ報知する構成であるため、遊技者の遊技中における扉開放の検出に対しては報知しない。これにより、報知手段として遊技機の電源を遮断するなどの遊技者の遊技の妨げになる状態とする構成の場合に、遊技者の遊技中に遊技機の扉を開放させる必要が生じ（例えば遊技球が盤面上の釘に引っかかった場合など）遊技機の扉を開放させても、遊技者の遊技の妨げになる状態となることを回避することができる。
【００２６】
請求項６の発明によれば、遊技機の電源が遮断状態時に扉開放検出手段によって扉の開放が検出された場合、扉の開放情報を被接続制御装置に設けられている記憶手段に記憶する構成としたため、ホールメインコンピュータと主制御装置で、扉の開閉状態を把握することができ、それらを照らし合わせることで不正を確実に発見することができる。また、扉の開放回数など扉の開閉状態に関してより詳しい情報が分かるようになる。
【発明を実施するための最良の形態】
【００２７】
以下、本発明に係る遊技機の実施形態１および２を図面と共に説明する。なお、遊技機にはパチンコ遊技機、スロットマシン等が有るが、その一例としてパチンコ遊技機について説明する。
【００２８】
図１に示すように、本実施形態のパチンコ機１０は、大きくは長方形の外枠１１と、窓部を有し額縁状の前面枠（扉）１２とからなり、外枠１１の左隣に公知のカードリーダ（プリペイドカードユニット）１３が設けられている。前面枠１２は、左端上下のヒンジ１４により外枠１１に対し回動可能に取り付けられている。
【００２９】
前面枠１２の下方には上皿１５が設けられ、この上皿１５に貸出釦１６、精算釦１７及び残高表示部１８が設けられている。カードリーダ１３のカード口１９にプリペイドカードを挿入すると、記憶された残高が残高表示部１８に表示され、貸出釦１６を押下すると遊技球の貸出しが実行され上皿１５の払い出し口より遊技球が排出される。
【００３０】
前面枠１２には、窓状のガラス枠２０が前面枠１２に対して解放可能に取り付けられている。このガラス枠２０には板ガラス２１が二重にはめ込まれている。板ガラス２１の奥には遊技盤２２が脱着可能に収納されている。
【００３１】
上皿１５の前面枠１２下部には下皿２３が設けられ、下皿２３の右側には発射ハンドル２４が取り付けられている。この発射ハンドル２４の外周には、回動リングが擁され、これを時計方向に回動すれば遊技球を遊技盤２２上に発射することができる。上皿１５と下皿２３とは連結されていて、上皿１５が遊技球で満杯状態になれば下皿２３に遊技球を誘導するよう構成されている。
【００３２】
図２はパチンコ機１０を裏側から見た裏面図である。図示するように、前述した遊技盤２２を脱着可能に取り付ける機構盤２６が前述した外枠１１に収納されている。この機構盤２６には、上方から、球タンク２７、誘導樋２８及び払出し装置２９が設けられている。この構成により、遊技盤２２上の入賞口に遊技球の入賞があれば球タンク２７から誘導樋２８を介して所定個数の遊技球を払出し装置２９により前述した上皿１５に排出することができる。
【００３３】
また、機構盤２６には主制御装置３０および払出制御装置３１が、遊技盤２２には演出図柄制御装置３２が、前面枠１２には発射制御装置３３が、演出図柄制御装置３２の右上には外部接続端子板３４が、主制御装置３０の右側には電飾制御装置と音声制御装置を備えたサブ制御装置３５が、主制御装置３０の左下には電源基板３６が、各々取り付けられている。
【００３４】
前面枠１２左上部には、後述する該前面枠１２の開放を検出する扉開放スイッチ（扉開放検出手段）３７が設けられている。ここで、該扉開放スイッチ３７はマイクロスイッチ、近接スイッチ、光電スイッチ等の適宜のタイプのものを採用してよい。また、扉開放スイッチ３７は後述するように、主制御装置３０と接続されている。
【００３５】
次に図３を用いて遊技盤２２について説明する。図３に示すように遊技盤２２には、中央に演出図柄表示装置３２ａ、その下部に第１種始動口としての特別図柄始動口３８、演出図柄表示装置３２ａ上部の普通図柄表示装置３９、該普通図柄表示装置３９に表示される図柄の変動開始に用いられる普通図柄始動口４０、演出図柄表示装置３２ａ右側の特別図柄表示装置４１、特別図柄始動口３８下部の大入賞口４２、盤面最下部のアウト口４３、その他の各種入賞口、風車及び図示しない遊技釘等が備えられている。
【００３６】
この構成により、前述した発射ハンドル２４を回動すれば発射制御装置３３により発射モータ３３ａ（図６参照）が駆動されて上皿１５上の遊技球がガイドレールを介して遊技盤２２上に発射される。発射された遊技球が各入賞口に入賞すれば遊技球は盤面裏面にセーフ球として取り込まれ、入賞しなければアウト口４３を介してアウト球として同様に盤面裏面に取り込まれる。
【００３７】
続いて図４および図５を用いて前述した外部接続端子板３４について詳細に説明する。図４に示すように、外部接続端子板３４は、コネクタ（図示略）およびリード線（図示略）を介してホールメインコンピュータ４４（遊技機外部）に接続される８つの外部接続端子３４ａ〜３４ｈ、コネクタ（図示略）およびリード線（図示略）を介して主制御装置３０に接続される外部接続端子３４ｉ、各外部接続端子３４ａ〜３４ｈに対応して設けられるフォトカプラなどの不可逆性情報伝達手段である８つのＩＣ（ＩＣ１〜ＩＣ８）を備えている。
【００３８】
上記外部接続端子板３４の構成により、主制御装置３０から図示しないコネクタおよびリード線を介して外部接続端子３４ｉに信号が入力され、該入力された信号は、その情報内容に対応するコネクタＣＮ１〜ＣＮ８から図示しないコネクタおよびリード線を介してホールメインコンピュータ４４に出力する。ここで、各外部接続端子３４ａ〜３４ｈにはＩＣ１〜ＩＣ８が設けられており、ホールメインコンピュータ４４からの電気信号がパチンコ機１０（主制御装置３０等）側に入力されないようにしている。
【００３９】
ここで、外部接続端子３４ａ〜３４ｈは、図５に示すように、２ピン３２ＶＤＣコネクタＣＮ１〜ＣＮ８の構造となっており、コネクタＣＮ１からは各始動口３８，４０に遊技球が入球した時の始動情報を示す信号を、コネクタＣＮ２からは普通図柄表示装置３９および特別図柄表示装置４１に表示される図柄の確定回数情報を示す信号を、コネクタＣＮ３からは特別図柄始動口３８の羽根（普通電動役物）の作動情報を示す信号を、コネクタＣＮ４からは大当り状態を示す信号を、コネクタＣＮ５からは確変状態（高確率状態）を示す信号を、コネクタＣＮ６からは遊技者に遊技球を払い出す時の賞球情報を示す信号を、コネクタＣＮ７からは前面枠１２の開放情報を示す信号を、コネクタＣＮ８からは貸出球の情報を示す信号をホールメインコンピュータ４４に出力する。
【００４０】
また、外部接続端子３４ｉは、９ピン３２ＶＤＣコネクタＣＮ９の構造となっており、該コネクタＣＮ９には、上記情報（前面枠１２の開放情報等）を示す信号が主制御装置３０から入力される。
【００４１】
上記構成の外部接続端子板３４は、パチンコ機１０からホールメインコンピュータ４４へ出力するパチンコ機１０の情報の全てを１つの制御装置（主制御装置３０）から１つの外部接続端子板３４に備えられた外部接続端子３４ａ〜３４ｉを介して出力する構成になっているため、配置スペースが小さくてすみ、配線もし易い。また、主制御装置３０は、ホールメインコンピュータ４４に出力される全ての情報を把握することができ、主制御装置３０とホールメインコンピュータ４４の２つによって確実な不正の監視ができるようになる。
【００４２】
続いて前述したパチンコ機１０の電気的構成を図６のブロック図を用いて説明する。パチンコ機１０の電気回路は、図示するように、前述した主制御装置３０、払出制御装置３１、演出図柄制御装置３２、発射制御装置３３、外部接続端子板３４、サブ制御装置３５、電源基板３６等から構成されている。なお、この回路図には、信号の受け渡しを行うための所謂中継基板等は記載していない。
【００４３】
主制御装置３０は、遊技制御プログラムを記憶したＲＯＭ及び演算等の作業領域として働くＲＡＭ３０ａを内蔵した８ビットワンチップマイコンを中心とした論理演算回路として構成され、この他各基板又は各種スイッチ類及び各種アクチュエータ類との入出力を行うための外部入出力回路も設けられている。ここで、前記ＲＡＭ３０ａは、パチンコ機１０の電源が投入されているときに更新可能なＲＡＭ（以下、通常ＲＡＭ）３０ｂと、パチンコ機１０の電源が遮断されているときに更新可能なＲＡＭ（以下、電源遮断状態専用ＲＡＭ）３０ｃとで構成されている。なお、通常ＲＡＭ３０ｂと電源遮断状態専用ＲＡＭ３０ｃとを別々に設けずに１つのＲＡＭ３０ａにパチンコ機１０の電源投入中および電源遮断中の制御情報を記憶する構成としてもよい。
【００４４】
主制御装置３０の入力側には、扉開放スイッチ（扉開放ＳＷ）３７、満タンスイッチ（満タンＳＷ）４５、球切れスイッチ（球切れＳＷ）４６、始動口スイッチ（始動口ＳＷ）４７、普通図柄始動スイッチ（普通図柄始動ＳＷ）４８、Ｖスイッチ（ＶＳＷ）４９、カウントスイッチ（カウントＳＷ）５０、複数の各入賞口スイッチ（各入賞口ＳＷ）５１、球貸しスイッチ（球貸しＳＷ）５２、賞球払い出しスイッチ（賞球払い出しＳＷ）５３等が接続されている。また、出力側には、大入賞口ソレノイド５４、Ｖソレノイド５５、普通電動役物ソレノイド５６、及び試験信号端子５７等が接続されている。
【００４５】
扉開放スイッチ３７は前面枠１２、満タンスイッチ４５は下皿２３内、球切れスイッチ４６は払出し装置２９の上流側通路、始動口スイッチ４７は特別図柄始動口３８内、普通図柄始動スイッチ４８は普通図柄始動口４０内、Ｖスイッチ４９は大入賞口４２内の特定領域内、カウントスイッチ５０は大入賞口４２内、複数の各入賞口スイッチ５１は特別図柄始動口３８，普通図柄始動口４０及び大入賞口４２以外の盤面上の各々の入賞口（図示略）内に各々取り付けられている。
【００４６】
ここで、扉開放スイッチ３７は前面枠１２の開閉状態を、満タンスイッチ４５は下皿２３内に遊技球が満タン状態になったことを、球切れスイッチ４６は賞球又は貸し球に球切れが生じたことを、Ｖスイッチ４９は大入賞口４２内に入賞した遊技球が特別領域を通過したことを、カウントスイッチ５０は大入賞口４２内に入賞する全ての遊技球を、各入賞口スイッチ５１は特別図柄始動口３８，普通図柄始動口４０及び大入賞口４２以外の盤面上の各々の入賞口に遊技球が入賞したことを、各々検出するためのものである。
【００４７】
また、出力側に接続された大入賞口ソレノイド５４は大入賞口４２、Ｖソレノイド５５は大入賞口４２内の特別領域、普通電動役物ソレノイド５６は特別図柄始動口３８の羽根の開閉に各々使用されるものである。
【００４８】
払出制御装置３１は、主制御装置３０と同様マイクロコンピュータを用いた論理演算回路として構成され、その入力回路には球貸しスイッチ（球貸しＳＷ）５２、賞球払い出しスイッチ（賞球払い出しＳＷ）５３が接続され、出力回路には球貸ソレノイド５２ａ、賞球モータ３１ａ、発射制御装置３３が接続されている。
【００４９】
また、払出制御装置３１には、カードリーダ１３およびＣＲ精算表示装置６０が双方向通信可能に接続されている。球貸しスイッチ５２は球貸ソレノイド５２ａを駆動することにより払い出される遊技球を検出し、賞球払い出しスイッチ５３は賞球モータ３１ａから払い出される遊技球を検出する。なお、主制御装置３０と払出制御装置３１とは双方向通信可能に接続されている。これにより、正確な払出を行うことができる。
【００５０】
発射制御装置３３は、遊技者が操作する発射ハンドル２４の回動量に応じて発射モータ３３ａを駆動制御するものであり、その他遊技者が発射停止スイッチ（発射停止ＳＷ）２４ａを押下したとき発射を停止させたり、発射ハンドル２４に内蔵されたタッチスイッチ（タッチしＳＷ）２４ｂがオン状態のときタッチランプを点灯させるためのものである。タッチスイッチ２４ｂは発射ハンドル２４に内蔵され遊技者が発射ハンドル２４に触れていることを検出する。
【００５１】
サブ制御装置３５は、電飾制御装置と音声制御装置を備えており、電飾制御装置は主としてトランジスタ等の駆動素子から構成されており、主制御装置３０からの指令を受けて特別図柄保留記憶ＬＥＤ６１、普通図柄保留記憶ＬＥＤ６２、大当りランプやエラーランプ等の各種ランプ類６３等を点灯表示させるためのものである。音声制御装置は音源ＩＣ及びアンプ等から構成されており、主制御装置３０の指令を受けてスピーカ６４を駆動制御するためのものである。
【００５２】
演出図柄制御装置３２は、前述した主制御装置３０と同様８ビットワンチップマイコンを中心とした論理演算回路として構成され、演出図柄表示装置３２ａを駆動制御する。演出図柄制御装置３２の入力回路および出力回路はサブ制御装置３５の入力回路および出力回路と接続されている。
【００５３】
外部接続端子板３４は、前述のように入力回路に主制御装置３０が接続され、出力回路にはホールメインコンピュータ４４が接続されている。これにより、主制御装置３０から外部接続端子３４ｉに送信された信号は外部接続端子３４ａ〜３４ｈからホールメインコンピュータ４４に出力されるが、ホールメインコンピュータ４４からは信号を入力できない構成となっている。
【００５４】
電源基板３６は、２４Ｖ交流電源３６ａから各種電源を生成し、主制御装置３０、払出制御装置３１、演出図柄制御装置３２、サブ制御装置３５に供給している。なお、図６において、電源基板３６と、主制御装置３０、払出制御装置３１、演出図柄制御装置３２、サブ制御装置３５、および２４Ｖ交流電源３６ａとを繋いでいる線は、電源線を示している。
【００５５】
図７は、電源基板３６から各装置に供給される電源を詳細に示した図である。電源基板３６は、２４Ｖ交流電源３６ａからＤＣ３２Ｖ、ＤＣ１２Ｖ、ＤＣ５Ｖ、更にコンデンサによりＤＣ５Ｖ（ＶＢＢ）のバックアップ電源を生成し、各制御装置に必要な電源を供給するよう構成されている。ＤＣ５Ｖのバックアップ電源は、主制御装置３０と払出制御装置３１に供給され、主制御装置３０と払出制御装置３１との両方でバッテリバックアップ及びデータの復元を行っている。主制御装置３０及び払出制御装置３１は、制御プログラムの不正改竄をチェックするセキュリティ機能を備えており、サブ制御基板３５はセキュリティ機能を備えない。
【００５６】
続いて図８を用いて主制御装置３０、外部接続端子板３４、扉開放スイッチ３７、およびホールメインコンピュータ４４の電気的接続について説明する。上述のように、扉開放スイッチ３７と主制御装置３０、主制御装置３０と外部接続端子板３４、外部接続端子板３４とホールメインコンピュータ４４が各々接続されている。
【００５７】
また、図８（ｂ）に示すように、外部接続端子板３４にはフォトカプラなどの不可逆性情報伝達手段であるＩＣ７が備えられている。なお、主制御装置３０に電流を制限する制限抵抗およびトランジスタアレイを備える構成としてもよい。ここで、図８に示す構成の代わりに、図９に示すように、ＩＣ１〜ＩＣ８（ＩＣ７以外は図示略）を外部接続端子板３４に設けず、ホールメインコンピュータ４４に設ける構成としてもよい。図９の構成の場合、主制御装置３０に制限抵抗３０ｄおよびトランジスタアレイ３０ｅを備える構成が好ましいが、備えない構成としてもよい。
【００５８】
上記図８の構成により、主制御装置３０から扉開放スイッチ３７に電気信号が送信されると、扉開放スイッチ３７から主制御装置３０に前面枠１２の開閉状態を示す信号が送信される（扉の開閉状態の監視）。ここで、図８（ｃ）に示すように、扉開放スイッチ３７から送信される該前面枠１２の開閉状態を示す信号は、前面枠１２が閉鎖中の場合にはＯＮ信号（主制御装置３０からの電気信号に対して導通状態となっている旨の信号）となり、前面枠１２が開放中の場合にはＯＦＦ（主制御装置３０からの電気信号に対して非導通状態となっている旨の信号）となる。
【００５９】
さらに、図８（ｃ）に示すように、該開閉状態を示す信号を受信した主制御装置３０は、該受信した信号が閉鎖状態を示すものであれば、外部接続端子３４ｇに一定の電気信号を出力する。また、該受信した信号が開放状態を示すものであれば、外部接続端子３４ｇに前記一定の電気信号を出力しない（非出力）。ここで、一定の電気信号を出力しないとは、電気信号を全く出力しない構成であってもよいし、前記一定の電気信号と異なる大きさの電気信号を出力する構成であってもよい。
【００６０】
なお、回路構成は、図８（ｃ）のように、主制御装置３０の受信した信号が閉鎖状態を示すものであるとき一定の電気信号を出力する構成であれば、図８（ｂ）のものに限定されない。
【００６１】
外部接続端子３４ｇは、主制御装置３０から一定の電気信号または前記一定の電気信号と異なる信号を受信すると、ＩＣ７を介してホールメインコンピュータ４４へ該受信信号を出力する。そして、外部接続端子３４ｇから出力された信号は、ノット回路６５を介してホールメインコンピュータ４４に入力される（図８（ｂ）参照）。
【００６２】
ここで、上記信号の送受信は、パチンコ機１０本体に電源が入っているか否かに係わらず行われる。具体的には、図１０（ａ）に示すように、まずパチンコ機１０本体に電源が投入されている場合には、電源基板３６から供給される通常電源によって図８に示される信号の送受信（入出力）が行われる。また、扉開放スイッチ３７から主制御装置３０に送信された前面枠１２の開放状態等の情報は、前記通常電源を用いて主制御装置３０に備えられた通常ＲＡＭ３０ｂに記憶される。
【００６３】
そして、図１０（ｂ）に示すように、パチンコ機１０本体に対して電源が遮断中の場合には、電源基板３６から供給されるＤＣ５Ｖのバックアップ電源によって図８に示される信号の送受信（入出力）が行われる。また、電源遮断中の前面枠１２の開閉状態についての情報は、前記バックアップ電源を用いて主制御装置３０に備えられた電源遮断状態専用ＲＡＭ３０ｃに記憶される。なお、バックアップ電源を用いて通常ＲＡＭ３０ｂの記憶も保持されている。また、バックアップ電源は、パチンコ機１０の電源が入っているときに充電される構成となっている。
【００６４】
次にパチンコ機１０の電源投入時および遮断時における動作について説明する。まず、図１１に示すように、電源基板３６には、投入時リセット回路８４、バックアップ電圧監視回路８５、タイマ１回路８６、タイマ２回路８７、遮断時リセット回路８８、ＲＡＭクリアスイッチ８９とが備えられている。
【００６５】
バックアップ電圧監視回路８５の出力側は、主制御装置３０のＣＰＵ５８の強制割り込み端子ＮＭＩ、及び払出制御装置３１のＣＰＵ７０の強制割り込み端子ＮＭＩに接続されている。主制御装置３０のＣＰＵ５８のリセット端子ＲＥＳには、遮断時リセット回路８８とタイマ２回路８７とがオア回路９０を介して接続されている。払出制御装置３１のＣＰＵ７０のリセット端子ＲＥＳには、遮断時リセット回路８８とタイマ１回路８６とがオア回路９１を介して接続されている。演出図柄制御装置３２のＣＰＵ６７のリセット端子ＲＥＳには、遮断時リセット回路８８と投入時リセット回路８４とがオア回路９２を介して接続されている。同様に、サブ制御装置３５のＣＰＵ７３にも、遮断時リセット回路８８と投入時リセット回路８４とがオア回路９３を介して接続されている。
【００６６】
ＲＡＭクリアスイッチ８９は、押しボタンタイプ等であり、押しボタンの押し下げに応答してＲＡＭクリア信号を検出するものであり、主制御装置３０の入力ポート９６を介して、ＣＰＵ５８のデータバスＤＢに接続され、また、払出制御装置３１の入力ポート９７を介して、ＣＰＵ７０のデータバスＤＢに接続されている。
【００６７】
主制御装置３０及び払出制御装置３１のそれぞれのＲＡＭをクリアする場合、電源スイッチ（オン・オフ切替えタイプ）がオフの状態を確認し、ＲＡＭクリアスイッチ８９を押した状態にて、電源スイッチをオンにすると、主制御装置３０及び払出制御装置３１のＣＰＵ５８，ＣＰＵ７０は、リセット信号が解除された時点で、入力ポート９６，９７を介してＲＡＭクリア信号を検知し、それぞれの制御装置３０，３１は、制御が開始された時点でＲＡＭクリア信号を検知した場合、それぞれのＲＡＭの内容を初期化して、動作開始する。詳細は後述する。なお、前述したように、５Ｖバックアップ電源は、主制御装置３０のＣＰＵ５８のバックアップ端子ＶＢＢ、及び払出制御装置３１のＣＰＵ７０のバックアップ端子ＶＢＢに接続されている。
【００６８】
投入時リセット回路８４は、図１２に示すように、電圧監視ＩＣ８、抵抗器Ｒ３８、Ｒ３９及びＲ４０、バイパスコンデンサＣ２２及びＣ２３等から構成されている。電圧監視ＩＣ８の入力端子であるＶＳ端子には、抵抗器Ｒ３９とＲ４０とで分圧したＤＣ１２Ｖの電源が供給され、出力端子であるＲＥＳＥＴ端子は、抵抗器Ｒ３８でＤＣ５Ｖにプルアップされている。前記構成により電圧監視ＩＣ８の出力端子であるＲＥＳＥＴ端子は、ＤＣ１２Ｖ電源の電圧が７．２０〜７．７５Ｖ以下に低下すると、出力するリセット信号１を、ハイレベルからロウレベルに変化させる。
【００６９】
タイマ１回路８６は、投入時リセット回路８４が出力するリセット信号１を、ハイレベルからロウレベルに変化させたときから所定時間（本実施形態では、１００ｍｓ）経過後に出力するリセット信号２をハイレベルからロウレベルに変化させる遅延回路として構成されている。タイマ２回路８７は、投入時リセット回路８４が出力するリセット信号１を、ハイレベルからロウレベルに変化させたときから所定時間（本実施形態では、３００ｍｓ）経過後に出力するリセット信号３をハイレベルからロウレベルに変化させる遅延回路として構成されている。
【００７０】
バックアップ電圧監視回路８５は、図１３に示すように、コンパレータＩＣ２Ａ、抵抗器Ｒ５１〜Ｒ５５等から構成されている。コンパレータＩＣ２Ａのマイナス入力端子には、抵抗器Ｒ５３とＲ５４とで分圧したＤＣ５Ｖの電源が供給され、プラス入力端子には、抵抗器Ｒ５１とＲ５２とで分圧したＤＣ１２Ｖの電源が供給され、出力端子は抵抗器Ｒ５５でＤＣ５Ｖにプルアップされている。前記構成によりコンパレータＩＣ２Ａの出力端子は、ＤＣ１２Ｖ電源の電圧が８．００〜９．２３Ｖ以下に低下すると、出力するバックアップ信号１を、ハイレベルからロウレベルに変化させる。
【００７１】
遮断時リセット回路８８は、バックアップ電圧監視回路８５が出力するバックアップ信号１を、ハイレベルからロウレベルに変化させたときから所定時間（本実施形態では、１００ｍｓ）経過後に出力するリセット信号４をハイレベルからロウレベルに変化させる遅延回路として構成されている。前記構成により、パチンコ機１０に電源が投入されたときの主制御装置３０のＣＰＵ５８、払出制御装置３１のＣＰＵ７０、演出図柄制御装置３２のＣＰＵ６７、サブ制御装置３５のＣＰＵ７３の動作又は制御動作の立ち上がり状態を、図１４に示すタイミングチャートに従って説明する。
【００７２】
パチンコ機１０に電源が投入されると、電源基板３６によりＤＣ３２Ｖ、ＤＣ１２Ｖ、バッテリバックアップ電源（ＶＢＢ）であるＤＣ５Ｖが生成される。この生成された各電源は各制御基板に供給されるが、投入時リセット回路８４、タイマ１回路８６及びタイマ２回路８７の働きによりサブ制御装置３５、演出図柄制御装置３２、払出制御装置３１及び主制御装置３０は次のように動作の立ち上げ処理を行う。
【００７３】
図１４に示すように、電源基板３６に電源が投入されると（ポイントＰ１）、ＤＣ１２Ｖ電源の電圧は放物線を描いて漸次０Ｖから１２Ｖに立ち上がる。この漸次立ち上がるＤＣ１２Ｖ電源の電圧が、基準電圧ＬＶ２（本実施形態では、７．２０〜７．７５Ｖ  ポイントＰ２）になった所定時間経過後に投入時リセット回路８４の出力信号であるリセット信号１がロウレベルからハイレベルとなる。
【００７４】
これにより、サブ制御装置３５及び演出図柄制御装置３２は、リセット状態を解除し制御に係る動作を立ち上げる（ポイントＰ３）。投入時リセット回路８４は、ＤＣ１２Ｖ電源が基準電圧ＬＶ２になっても直ちにリセット信号１を出力するわけではなく、バックアップ電源ＶＢＢによるバックアップ開始のタイミングより後に立ち上がるよう本実施形態では、約１００ｍｓ（パワーオンリセット巾）後にリセット信号１を出力するよう構成されている。
【００７５】
タイマ１回路８６は、ＤＣ１２Ｖ電源の電圧が基準電圧ＬＶ２になってから約２００ｍｓ経過後、即ち、投入時リセット回路８４の出力するリセット信号１がロウレベルからハイレベルになってから１００ｍｓ経過後に出力するリセット信号２をロウレベルからハイレベルとする。リセット信号２を入力する払出制御装置３１のＣＰＵ７０は、リセット信号２がハイレベルとなったときから約３２０ｍｓの時間をかけて正常なプログラムであるか否かのセキュリィティチェックを実行し、この後に払い出し等に係る制御を実行する。従って、払出制御装置３１のＣＰＵ７０は、ＤＣ１２Ｖ電源の電圧が基準電圧ＬＶ２になってから約５２０ｍｓ後（ポイントＰ４）に動作を立ち上げることになる。
【００７６】
タイマ２回路８７は、ＤＣ１２Ｖ電源の電圧が基準電圧ＬＶ２になってから約４００ｍｓ経過後、即ち、投入時リセット回路８４の出力するリセット信号１がロウレベルからハイレベルになってから３００ｍｓ経過後に出力するリセット信号３をロウレベルからハイレベルとする。リセット信号３を入力する主制御装置３０のＣＰＵ５８は、リセット信号３がハイレベルとなったときから約２００ｍｓの時間をかけて正常なプログラムであるか否かのセキュリィティチェックを実行し、この後に入賞検知等に係る制御を実行する。従って、主制御装置３０のＣＰＵ５８は、ＤＣ１２Ｖ電源の電圧が基準電圧ＬＶ２になってから約６００ｍｓ後（ポイントＰ５）に動作を立ち上げることになる。
【００７７】
次にパチンコ機１０への電源投入が遮断されるときの動作を、図１５に示すタイミングチャートに従って説明することにする。パチンコ機１０への電源投入が遮断されると（ポイントＰ６）、電源基板３６で生成されるＤＣ１２Ｖの電源電圧は、遮断直後の低下が著しいものの、その後はほぼリニアに低下してゆき所定時間後に０Ｖとなる。このリニアに漸減してゆく途中で、基準電圧ＬＶ１（本実施形態では、８．００〜９．２３Ｖ）に至ると（ポイントＰ７）、電源基板３６のバックアップ電圧監視回路８５のバックアップ信号１は、ハイレベルからロウレベルに変化する。
【００７８】
これにより、主制御装置３０のＣＰＵ５８及び払出制御装置３１のＣＰＵ７０は、その各強制割り込み端子ＮＭＩがロウレベルとなると、ＣＰＵ５８及びＣＰＵ７０にノンマスカブルインターラプトがかかることになる。これにより、主制御装置３０のＣＰＵ５８は、現状のゲーム状態を示すデータを待避し、その後ＲＡＭ３０ａへのアクセスを禁止することができる。払出制御装置３１のＣＰＵ７０は、現状の賞球払い出し状態及び玉貸しの払い出し状態を示すデータを待避し、その後ＲＡＭへのアクセスを禁止することができる。
【００７９】
遮断時リセット回路８８は、バックアップ電圧監視回路８５が出力するバックアップ信号１がハイレベルからロウレベルに変化する信号の立ち下げ時から約１００ｍｓ後に出力するリセット信号４をハイレベルからロウレベルに変化させる（ポイントＰ８）。このときＤＣ１２Ｖ電源電圧は基準電圧ＬＶ２となる。これにより、主制御装置３０のＣＰＵ５８、払出制御装置３１のＣＰＵ７０、演出図柄制御装置３２のＣＰＵ６７、サブ制御装置３５のＣＰＵ７３は、一斉に動作を停止させる。ここで、前述したように、主制御装置３０及び払出制御装置３１各々のＲＡＭはバッテリバックアップされており、電源遮断時もＲＡＭに記憶されたデータは所定時間（本実施形態では、約３日間）記憶保持される。
【００８０】
次に上述した構成を有する本実施形態の電源投入時及び電源遮断時における処理について、図１６、図１７、図１８に示すフローチャートを参照して説明する。まず図１６を用いて、パチンコ機１０の電源が遮断された時の処理（電源断発生時処理）について説明する。この処理は、主制御装置３０にて行われる処理である。
【００８１】
パチンコ機１０の電源が遮断されたことが検出されると、全使用レジスタを退避させる処理を行う(Ｓ１００)。Ｓ１００の処理を終えると、スタックポインタを保存する処理を行い(Ｓ１１０)、通常ＲＡＭ３０ｂの判定値を算出して保存し(Ｓ１２０)、さらに、電源遮断時の発生情報を保存する処理を行う(Ｓ１３０)。その後、通常ＲＡＭ３０ｂへのアクセスを禁止し(Ｓ１４０)、リセット端子ＲＥＳがロウレベルに低下するのを待つ待機処理とする。Ｓ１４０の通常ＲＡＭ３０ｂへのアクセス禁止処理は、電源電圧の不安定な状態での通常ＲＡＭ３０ｂへの書き込みを禁止することにより、待避するデータの正確性及び確実性を高めるためである。
【００８２】
次に図１７を用いて、パチンコ機１０の電源が遮断中であるときにおける、前面枠１２の開閉状態を監視する処理（電源断時扉監視処理）について説明する。この処理は、電源基板３６から供給されるバックアップ電源を用いて、主制御装置３０のＣＰＵ５８にて行われる処理である。
【００８３】
電源断時扉監視処理が開始されると、前面枠１２が開放中か否か判定される(Ｓ２００)。該判定は、バックアップ電源を用いて主制御装置３０から扉開放スイッチ３７に電気信号を送り、該信号に対して導通であるか非導通であるかの信号を扉開放スイッチ３７から主制御装置３０に送信されることにより行われる。
【００８４】
Ｓ２００にて肯定判定（扉開放スイッチ３７から送信される信号がＯＦＦ）が為されると、異常フラグが作動中か否か判定される(Ｓ２１０)。異常フラグが作動中ではなくＳ２１０にて否定判定が為されると、異常フラグを作動させる処理を行う(Ｓ２２０)。Ｓ２１０にて肯定判定、又はＳ２２０の処理を終えると、続いて扉開放フラグが作動中か否か判定される(Ｓ２３０)。扉開放フラグとは、前面枠１２の開放時において作動されるもので、前面枠１２の閉鎖時には作動しない。Ｓ２３０において否定判定が為されると、続いて扉開放フラグを作動させる処理が行なわれる(Ｓ２４０)。そして、Ｓ２３０にて肯定判定、又はＳ２４０の処理を終えると、リターンに抜ける。
【００８５】
前述したＳ２００において、否定判定が為されると、扉開放フラグが作動中か否か判定される(Ｓ２５０)。Ｓ２５０にて否定判定が為されるとリターンに抜け、Ｓ２５０にて肯定判定が為されると、続いて扉開放状態記憶処理を行う(Ｓ２６０)。この扉開放状態記憶処理は、何時何分にどれくらいの間、前面枠１２が開放されていたか(開放フラグが作動していたか)などの情報を前述の電源遮断状態専用ＲＡＭ３０ｃに記憶する処理である。また、異常フラグが作動中か否かの情報も電源遮断状態専用ＲＡＭ３０ｃに記憶する。
【００８６】
なお、本実施形態において、主制御装置３０は計時手段を有し、該計時手段の時計機能によって、何時何分にどれくらいの間、前面枠１２が開放されていたかが分かるようになっている。
【００８７】
Ｓ２６０の処理が終了すると、続いて扉開放フラグ終了処理を行う(Ｓ２７０)。Ｓ２７０の処理が行なわれると、リターンに抜ける。
【００８８】
上記電源断時扉監視処理によって、パチンコ機１０の電源が遮断中であっても、前面枠１２の開放を監視することができる。
【００８９】
次に図１８を用いて、電源投入時に主制御装置３０にて行われる処理について説明する。電源投入時処理が開始されると、前面枠１２の開放により異常フラグが作動中となっているか否か判定される(Ｓ３００)。ここで、後述するＳ４４０の通常ＲＡＭ３０ｂをクリアする処理よりも早い段階でＳ３００による異常フラグが作動しているか否かの判定を行っているため、例えば異常フラグや前面枠１２の開放状態の記憶を通常ＲＡＭ３０ｂに記憶する構成とした場合でも、不正を行う者が通常ＲＡＭ３０ｂをクリアすることができない。
【００９０】
なお、本実施形態では、電源断状態において電源断状態専用ＲＡＭ３０ｃに異常フラグや扉開放状態が記憶され、通常ＲＡＭ３０ｂをクリアする動作(電源投入時にＲＡＭクリアボタンを押す)を行っても、電源断状態にて前面枠１２が開けられた情報はクリアされない構成にしたので、通常ＲＡＭ３０ｂをクリアする処理の後に異常フラグが作動しているか否かの判定する処理を行ってもよい。
【００９１】
Ｓ３００において肯定判定が為されると、Ｓ２６０で電源遮断状態専用ＲＡＭ３０ｃに記憶した扉開放状態（例えば何時、どれ位の間、何回前面枠１２が開放したか）を演出図柄表示装置３２ａに表示させるとともに、エラーランプやスピーカ６４等によってエラー報知を行う処理（遊技不能処理）をする(Ｓ３１０)。また、該エラー報知以外にも、遊技球の発射をできなくしたりパチンコ機１０の電源が入らないようにして遊技ができない状態等にしてもよい。
【００９２】
また、Ｓ３１０の遊技不能処理が行われた後はリターンに抜けることになる。なお、本実施形態では、遊技不能状態がリセットされると異常フラグも終了する構成になっている。ここで、遊技不能状態をリセットする方法としては、暗証番号の入力や鍵がかかったところに備えられたリセットボタンを押すなど容易にリセットができないようになっていればよく、特に限定されない。暗証番号入力部やリセットボタンを設ける構成とする場合には、その配置場所はパチンコ機１０本体に設けた構成が好適である。
【００９３】
Ｓ３００において否定判定が為されると、続いて割込みモードを設定する(Ｓ３２０)。Ｓ３２０の処理を終えると、Ｓ１４０にてアクセス禁止になっていた通常ＲＡＭ３０ｂのアクセスを許可させる処理を行う(Ｓ３３０)。Ｓ３３０の処理を終えると、続いてＲＡＭクリアスイッチ８９からのＲＡＭクリア信号の入力があるか否か判定される(Ｓ３４０)。Ｓ３４０において否定判定が為されると、電源遮断の発生情報は正常か否か判定される(Ｓ３５０)。
【００９４】
Ｓ３５０において肯定判定が為されると、通常ＲＡＭ３０ｂの判定値を算出する処理を行う(Ｓ３６０)。Ｓ３６０の処理を終えると、続いてＳ３６０において算出した判定値が正常なものであるか否か判定する(Ｓ３７０)。Ｓ３７０にて肯定判定が為されると、電源が遮断された時に保存したスタックポインタ(図１６のＳ１１０参照)を復帰させる処理を行う(Ｓ３８０)。
【００９５】
Ｓ３８０の処理を終えると、続いて復電時のコマンドを送信する処理を行う(Ｓ３９０)。Ｓ３９０に続く処理では、ＣＰＵ周辺のデバイスの初期設定を行う(Ｓ４００)。Ｓ４００に続く処理では、電源断時の発生情報をクリアする処理を行う(Ｓ４１０)。Ｓ４１０に続く処理では、電源遮断時に割り込み許可があったか否か判定される(Ｓ４２０)。Ｓ４２０において肯定判定が為されると、割り込み許可設定を行う(Ｓ４３０)。Ｓ４２０にて否定判定、又はＳ４３０の処理を終えると、電源断時のプログラム番地へ向け、続く処理を行う。
【００９６】
なお、前述したＳ３４０にて肯定判定、又はＳ３５０、Ｓ３７０にて否定判定が為されると、続いて通常ＲＡＭ３０ｂに記憶されている値を全て０にクリア(ＲＡＭクリア)する処理を行う(Ｓ４４０)。Ｓ４４０に続く処理では、スタックポインタを設定する処理を行う(Ｓ４５０)。Ｓ４５０に続く処理では、通常ＲＡＭ３０ｂの初期設定を行う(Ｓ４６０)。Ｓ４６０に続く処理では、ＣＰＵ周辺デバイスの初期設定を行う(Ｓ４７０)。Ｓ４７０に続く処理では、割り込み許可設定を行う(Ｓ４８０)。Ｓ４８０の処理を終えると、遊技が開始される。
【００９７】
上記電源投入時処理によって、パチンコ機１０の電源遮断中における前面枠１２の開放に対して、パチンコ機１０の電源を投入したときに遊技機側（主制御装置３０等）がエラー報知等の対処をすることができる。また、通常のＲＡＭクリア処理にて、遊技機の電源断状態においての扉開放状態や異常フラグの情報がクリアされないので不正を防止することができる。
【００９８】
以上、本実施形態においては、扉開放スイッチ３７を主制御装置３０に接続し、パチンコ機１０の電源が入り状態時には通常電源を用いて、前面枠１２の開閉状態の監視と前面枠１２の開閉状態を示す信号を外部接続端子３４ｇを介してホールメインコンピュータ４４に出力する構成としたため、ホールメインコンピュータ４４から通常電源以外の何らかの信号（電流）がパチンコ機１０に入力されずとも、前面枠１２の開閉状態をホールメインコンピュータ４４で判別し、パチンコ機１０側（主制御装置３０等）でも前面枠１２の開閉状態を把握することができる。これにより、ホールメインコンピュータ４４から通常電源以外の何らかの信号（電流）をパチンコ機１０に入力せずに、前面枠１２の開放による不正行為を防止し、パチンコ機１０側で前面枠１２の開放を検出した場合の対処（例えば、主制御装置３０からサブ制御基板３５等にエラー報知を行う旨の信号の送信）を行うことができる。
【００９９】
また、パチンコ機１０の電源が遮断状態時には、バックアップ電源を用いて前面枠１２の開閉状態の監視と前面枠１２の開閉状態を示す信号を外部接続端子を介してホールメインコンピュータ４４に出力する構成としたため、電源遮断中において、上記効果であるホールメインコンピュータ４４から通常電源以外の何らかの信号（電流）をパチンコ機１０に入力せずに、前面枠１２の開放による不正行為を防止し、パチンコ機１０側で前面枠１２の開放を検出した場合の対処を行うことができるという効果を発揮できる。また、電源遮断中に使用されるバックアップ電源が全て電源基板３６から出力されるため、制御が複雑化しない。
【０１００】
また、ホールメインコンピュータ４４に出力する前面枠１２の開閉状態を示す信号は、パチンコ機１０の電源状態に係らず、前面枠１２が閉鎖状態である場合には一定の電気信号を出力し続け、前面枠１２が開放状態である場合には該一定の電気信号を出力しない構成としたため、前記一定の電気信号を出力しない場合には前面枠１２が開放し異常状態であると判断される。これにより、ホールメインコンピュータ４４と外部接続端子３４ｇとを繋ぐ線や、主制御装置３０と外部接続端子３４ｇを結ぶ線、電源基板３６と主制御装置３０とを繋ぐ線等を切断した場合には、前記一定の電気信号が出力されなくなることから、異常状態であることがわかり、該線を切断することにより行われる不正を防止することができる。
【０１０１】
また、前面枠１２が閉鎖状態であれば主制御装置３０と扉開放スイッチ３７が導通し、前面枠１２が開放状態であれば主制御装置３０と扉開放スイッチ３７が非導通になる構成としたため、主制御装置３０と扉開放スイッチ３７を結ぶ線を切断した場合には、主制御装置３０と扉開放スイッチ３７が非導通となることから、異常状態であることがわかり、該線を切断することにより行われる不正を防止することができる。
【０１０２】
また、パチンコ機１０の電源が遮断状態時に扉開放スイッチ３７によって前面枠１２の開放が検出された場合、パチンコ機１０の電源復旧後にパチンコ機１０が通常状態とは異なるエラー状態になる構成としたため、パチンコ機１０の電源が遮断状態時に行われる不正による被害を最小限に抑えられることができる。
【０１０３】
また、パチンコ機１０の電源が遮断状態時における前面枠１２開放の検出に対してのみ報知する構成であるため、遊技者の遊技中における前面枠１２開放の検出に対しては報知しない。これにより、前面枠１２の開放に対する処理によって遊技者の遊技の妨げになる状態となることを回避することができる。
【０１０４】
また、遊技機の電源が遮断状態時に扉開放スイッチ３７によって前面枠１２の開放が検出された場合、前面枠１２の開放情報を主制御装置３０に設けられている電源遮断状態専用ＲＡＭ３０ｃに記憶する構成としたため、ホールメインコンピュータ４４と主制御装置３０で、前面枠１２の開閉状態を把握することができ、それらを照らし合わせることで不正を確実に発見することができる。また、前面枠１２の開放回数など前面枠１２の開閉状態に関してより詳しい情報が分かるようになる。
【０１０５】
（第１実施形態の変形例１）
次に図１９を参照して第１実施形態の変形例１のパチンコ機１０について説明する。第１実施形態の変形例１は、第１実施形態の図８（ｃ）の代わりに図１９を用いる。
【０１０６】
上記第１実施形態では、
前面枠１２が閉鎖状態であれば主制御装置３０と扉開放スイッチ３７が導通し、前面枠１２が開放状態であれば主制御装置３０と扉開放スイッチ３７が非導通になる構成としている。それに対して、実施形態１の変形例１では、前面枠１２が閉鎖状態であれば主制御装置３０と扉開放スイッチ３７が非導通になり、前面枠１２が開放状態であれば主制御装置３０と扉開放スイッチ３７が導通する構成としている。
【０１０７】
図１９は、扉開放スイッチ３７から主制御装置３０に、主制御装置３０から外部接続端子３４ｇに、外部接続端子３４ｇからホールメインコンピュータ４４に送信される前面枠１２の開閉状態を示す信号を示した図である。主制御装置３０から扉開放スイッチ３７に電気信号が送信されると、扉開放スイッチ３７から主制御装置３０に前面枠１２の開放状態を示す信号が送信される。前記扉開放スイッチ３７から送信される前面枠１２の開閉状態を示す信号は、前面枠１２が閉鎖中の場合にはＯＦＦとなり、前面枠１２が開放中の場合にはＯＮ信号となる。
【０１０８】
そして、該開閉状態を示す信号を受信した主制御装置３０は、該受信した信号が閉鎖状態を示すものであれば外部接続端子３４ｇに一定の電気信号を出力し、該受信した信号が開放状態を示すものであれば外部接続端子３４ｇに前記一定の電気信号を出力しない（非出力）。ここで、一定の電気信号を出力しないとは、電気信号を全く出力しない構成であってもよいし、前記一定の電気信号と異なる大きさの電気信号を出力する構成であってもよい。
【０１０９】
また、第１実施形態と同様に、遊技機の電源が断状態において該受信した開閉状態を示す信号が開放状態を示すものであれば、主制御装置３０の命令により扉開放状態を演出図柄表示装置３２ａに表示させ、スピーカ６４やエラーランプ等によってエラー報知を行う。なお、主制御装置３０に制限抵抗およびトランジスタアレイを備える構成としてもよい。
【０１１０】
さらに、外部接続端子３４ｇは主制御装置３０から一定の電気信号または前記一定の電気信号と異なる信号を受信すると、ホールメインコンピュータ４４へ該受信信号を送信する。なお、ＩＣ１を外部接続端子板３４に設けてもよいし、設けなくてもよい。
【０１１１】
以上、本変形例においては、前面枠１２が閉鎖状態であれば主制御装置３０と扉開放スイッチ３７が非導通になり、前面枠１２が開放状態であれば主制御装置３０と扉開放スイッチ３７が導通し、また、第１実施形態と同様に、ホールメインコンピュータ４４に出力する前面枠１２の開閉状態を示す信号は、パチンコ機１０の電源状態に係らず、前面枠１２が閉鎖状態である場合には一定の電気信号を出力し続け、前面枠１２が開放状態である場合には該一定の電気信号を出力しない構成としたため、前記一定の電気信号を出力しない場合には前面枠１２が開放し異常状態であると判断される。これにより、ホールメインコンピュータ４４と外部接続端子３４ｇとを繋ぐ線や、主制御装置３０と外部接続端子３４ｇを結ぶ線、電源基板３６と主制御装置３０とを繋ぐ線等を切断した場合には、前記一定の電気信号が出力されなくなることから、異常状態であることがわかり、該線を切断することにより行われる不正を防止することができるという第１実施形態と同様の効果を発揮できる。
【０１１２】
なお、主制御装置３０と扉開放スイッチ３７を繋ぐ線を切断された場合には、扉が開放されても検出できなくなるが、主制御装置３０と扉開放スイッチ３７を繋ぐ線は、前面枠１２を開けてからでないと、容易には切断できないため大きな問題にはならない。また、パチンコ機１０の電源が断状態時には、不正が行われない限り前面枠１２は開放されず、前面枠１２が閉まっている時は非導通なので、監視に用いる電力の使用量（バックアップ電源の使用量）を抑えることができる。
【０１１３】
（第１実施形態の変形例２）
次に図２０を参照して第１実施形態の変形例２のパチンコ機１０について説明する。第１実施形態の変形例２は、第１実施形態の図８の代わりに図２０を用いる。
【０１１４】
上記第１実施形態では、主制御装置３０から扉開放スイッチ３７に電気信号が送信されると、扉開放スイッチ３７から主制御装置３０に前面枠１２の開閉状態を示す信号を送信し、該信号を受信した主制御装置３０は開放状態であるか否か判断し、外部接続端子３４ｇに前面枠１２の開閉状態を示す信号を出力する構成としている。それに対して、実施形態１の変形例２では、主制御装置３０から扉開放スイッチ３７に電気信号が送信されると、扉開放スイッチ３７から主制御装置３０を介して、外部接続端子３４ｇに前面枠１２の開閉状態を示す信号を送信する構成としている。
【０１１５】
図２０に示すように、主制御装置３０から扉開放スイッチ３７に電気信号が送信されると、扉開放スイッチ３７から主制御装置３０を介して外部接続端子３４ｇに前面枠１２の開閉状態を示す信号が送信される。ここで、図２０（ｃ）に示すように、扉開放スイッチ３７から送信される該前面枠１２の開閉状態を示す信号は、前面枠１２が閉鎖中の場合には導通状態を示し、前面枠１２が開放中の場合には非導通状態を示す。なお、主制御装置３０に電流を制限する制限抵抗およびトランジスタアレイを備える構成としてもよい。
【０１１６】
外部接続端子３４ｇは前面枠１２の開閉状態を示す信号を受信すると、ＩＣ７を介してホールメインコンピュータ４４へ該受信信号を出力する。なお、ＩＣ７を介して信号を出力する構成としているため、ホールメインコンピュータ４４からの電気信号は入力されない。ここで、図２１に示すように、ＩＣ１〜ＩＣ８（ＩＣ７以外は図示略）を外部接続端子板３４に設けず、ホールメインコンピュータ４４に設ける構成としてもよい。図２１の構成の場合、主制御装置３０に制限抵抗３０ｄおよびトランジスタアレイ３０ｅを備える構成が好ましいが、備えない構成としてもよい。
【０１１７】
そして、外部接続端子３４ｇから送信された信号は、ノット回路６５を介してホールメインコンピュータ４４に入力される（図２１（ｂ）参照）。
【０１１８】
以上、本変形例においては、主制御装置３０から扉開放スイッチ３７に電気信号が送信されると、扉開放スイッチ３７から主制御装置３０を介して外部接続端子３４ｇに前面枠１２の開閉状態を示す信号を送信する構成としているため、第１実施形態と同様の効果を発揮しつつも、制御的に簡素化できる。
【０１１９】
（第１実施形態の変形例３）
次に図２２を参照して第１実施形態の変形例３のパチンコ機１０について説明する。上記第１実施形態の変形例２では、主制御装置３０から扉開放スイッチ３７に電気信号が送信されると、扉開放スイッチ３７から主制御装置３０を介して、外部接続端子３４ｇに前面枠１２の開閉状態を示す信号を送信する構成としている。それに対して、実施形態１の変形例３では、主制御装置３０から扉開放スイッチ３７に電気信号が送信されると、前面枠１２の開閉状態を示す信号を、主制御装置３０を介さずに扉開放スイッチ３７から外部接続端子３４ｇに直接送信する構成としている。
【０１２０】
図２２に示すように、主制御装置３０から扉開放スイッチ３７に電気信号が送信されると、前面枠１２の開閉状態を示す信号が扉開放スイッチ３７から外部接続端子３４ｇに直接送信される。ここで、第１実施形態の変形例２と同様に、扉開放スイッチ３７から送信される該前面枠１２の開閉状態を示す信号は、前面枠１２が閉鎖中の場合には導通状態を示し、前面枠１２が開放中の場合には非導通状態を示す。なお、主制御装置３０に電流を制限する制限抵抗およびトランジスタアレイを備える構成としてもよい。
【０１２１】
外部接続端子３４ｇは前面枠１２の開閉状態を示す信号を主制御装置３０から受信すると、ＩＣ７を介してホールメインコンピュータ４４へ該受信信号を送信する。なお、ＩＣ７を介して信号を送信する構成としているため、ホールメインコンピュータ４４からの電気信号は入力されない。ここで、図２３に示すように、ＩＣ１〜ＩＣ８（ＩＣ７以外は図示略）を外部接続端子板３４に設けずに、ホールメインコンピュータ４４に設ける構成としてもよい。図２３の構成の場合、主制御装置３０に制限抵抗３０ｃおよびトランジスタアレイ３０ｄを備える構成が好ましいが、備えない構成としてもよい。
【０１２２】
そして、外部接続端子３４ｇから送信された信号は、ノット回路６５を介してホールメインコンピュータ４４に入力される（図２２（ｂ）参照）。また、前面枠１２の開閉状態を示す信号は主制御装置３０にも入力されるため、主制御装置３０は前面枠１２の開閉状態を把握することができる。該信号を受信した主制御装置３０は、演出図柄表示装置３２ａへの扉開放状態の表示や、スピーカ６４、エラーランプ等によるエラー報知を行う命令をする。
【０１２３】
以上、本変形例においては、主制御装置３０から扉開放スイッチ３７に電気信号が送信されると、前面枠１２の開閉状態を示す信号を扉開放スイッチ３７から外部接続端子３４ｇに直接送信する構成としているため、第１実施形態と同様の効果を発揮しつつも、制御的に簡素化できる。
【０１２４】
（第２実施形態）
次に図２４を参照して第２実施形態のパチンコ機について説明する。第２実施形態は、第１実施形態の図１０の代わりに図２４を用いる。第１実施形態の構成要素に対応する本実施形態の構成要素の説明は、図中の符号を１００番台として説明を援用する。
【０１２５】
上記第１実施形態では、パチンコ機１０の電源遮断状態時には、電源基板３６から供給されるバックアップ電源を用いて前面枠１２の開閉状態の監視と前面枠１２の開閉状態を示す信号をホールメインコンピュータ４４に出力する構成としている。パチンコ機１１０の電源遮断状態時には、主制御装置１３０に備えられたバックアップ電池（蓄電部材）１９８を用いて前面枠１１２の開閉状態の監視と前面枠１１２の開閉状態を示す信号をホールメインコンピュータ４４に出力する構成としている。
【０１２６】
図２４に示すように、主制御装置１３０には電源基板１３６から通常電源およびバックアップ電源が供給され、また主制御装置１３０にバックアップ電池１９８が備えられている。そして、図２４（ａ）に示すように、パチンコ機１１０本体に電源が投入されている場合には、電源基板１３６から供給される通常電源によって、前面枠１２の開閉状態の監視と前面枠１２の開閉状態を示す信号のホールメインコンピュータ４４への出力が行われる（図８参照）。また、賞球の未払い数や遊技状態の情報は、前記通常電源を用いて主制御装置１３０に備えられた通常ＲＡＭ１３０ｂに記憶される。
【０１２７】
そして、図２４（ｂ）に示すように、パチンコ機１１０本体に対して電源が遮断中の場合には、主制御装置１３０に備えられたバックアップ電池１９８を用いることによって、前面枠１２の開閉状態の監視と前面枠１２の開閉状態を示す信号のホールメインコンピュータ４４への出力が行われる。
【０１２８】
また、電源遮断中の前面枠１１２の開放状態についての情報は、バックアップ電源を用いて主制御装置１３０に備えられた電源遮断状態専用ＲＡＭ１３０ｃに記憶される。なお、電源遮断時には、バックアップ電源によって通常ＲＡＭ１３０ｂの記憶が保持されている。また、バックアップ電池１９８は、パチンコ機１１０本体に電源が投入されているときに通常電源によって充電される構成となっている。
【０１２９】
ここで、通常ＲＡＭ１３０ｂと電源遮断状態専用ＲＡＭ１３０ｃとを別々に設けず、１つのＲＡＭに賞球の未払い数や遊技状態の情報と電源遮断中の前面枠１１２の開放状態等の情報を記憶する構成としてもよい。
【０１３０】
以上、本実施形態においては、主制御装置１３０は、バックアップ電池１９８を備え、パチンコ機１１０の電源が遮断状態時にはバックアップ電池１９８を用いて扉開放スイッチ１３７の開閉状態の監視と扉開放スイッチ１３７の開閉状態を示す信号を外部接続端子１３４ｇを介してホールメインコンピュータ１４４に出力する構成としたため、パチンコ機１１０の電源が遮断時に制御情報を記憶保持するために用いる電源と、扉の開閉状態の監視や扉の開閉状態を示す信号の出力で用いる電源とは異なっており、これにより、バックアップ電池１９８とバックアップ電源の消費電気量を分散させ、蓄電量の急激な減少を回避することができる。
【０１３１】
また、バックアップ電池１９８は、パチンコ機１１０の電源入り状態時に通常電源によって充電される構成としたため、直ぐに蓄電量が無くなることを防止できる。
【０１３２】
また、パチンコ機１１０の電源遮断時における前面枠１１２の開閉状態の監視や前面枠１１２の開閉状態を示す信号のホールメインコンピュータ１４４への出力を行うために使用する電源の（電源基板１３６と主制御装置１３０とを繋ぐ）供給線がないため、電源基板１３６と主制御装置１３０とを繋ぐ線（バックアップ電源を供給する線）を切断することによる不正行為は生じない。
【０１３３】
（第２実施形態の変形例１）
次に図２５を参照して第２実施形態の変形例１のパチンコ機１１０について説明する。第２実施形態では、パチンコ機１１０の電源が遮断状態時において、電源基板１３６から供給されるバックアップ電源を用いることによって前面枠１１２の開放状態についての情報を電源遮断状態専用ＲＡＭ１３０ｃに記憶している。それに対して、第２実施形態の変形例１では、パチンコ機１１０の電源遮断状態時において、主制御装置１３０に備えられたバックアップ電池１９８を用いることによって、前面枠１１２の開放状態についての情報を電源遮断状態専用ＲＡＭ１３０ｃに記憶している。
【０１３４】
図２５に示すように、第２実施形態と同様に、主制御装置１３０には電源基板１３６から通常電源およびバックアップ電源が供給され、また主制御装置１３０にバックアップ電池１９８、通常ＲＡＭ１３０ｂ、電源遮断状態専用ＲＡＭ１３０ｃが備えられている。
【０１３５】
また、パチンコ機１１０本体に電源が投入されている場合には、第２実施形態と同様、電源基板１３６から供給される通常電源によって、前面枠１１２の開閉状態の監視と前面枠１１２の開閉状態を示す信号をホールメインコンピュータ１４４に出力する（図２５（ａ）参照）。また、賞球の未払い数や遊技状態の情報は、前記通常電源を用いて通常ＲＡＭ３０ｂに記憶される。
【０１３６】
そして、図２５（ｂ）に示すように、パチンコ機１１０本体に対して電源が遮断中の場合には、前面枠１２の開閉状態の監視と前面枠１２の開閉状態を示す信号のホールメインコンピュータ４４への出力は主制御装置１３０に備えられたバックアップ電池１９８によって行われる。さらに、バックアップ電池１９８を用いて、電源遮断中における前面枠１１２の開放状態についての情報を電源遮断状態専用ＲＡＭ１３０ｃに記憶する。また、電源基板１３６から供給されるバックアップ電源を用いることによって、通常ＲＡＭ１３０ｂに記憶されている情報を記憶保持する。
【０１３７】
（他の実施形態）
上記各実施形態では、前面枠１２，１１２のみに扉開放スイッチ３７，１３７を備え、前面枠１２，１１２の開閉状態について検出する構成であるが、図２６に示すように、複数の扉に扉開放スイッチ３７，１３７を備え、該複数の扉の開閉状態について検出する構成としてもよい。具体的には、前面枠、ガラス枠、遊技盤の開閉状態について、扉開放スイッチ３７，１３７を各々設けて検出することなどが挙げられる。
【０１３８】
また、複数（ここでは３つ）の扉開放スイッチ３７，１３７によって検出された各扉の開閉状態を示す信号は、主制御装置３０，１３０を介して外部接続端子３４ｇ，１３４ｇに各々送信され、さらに外部接続端子３４ｇ，１３４ｇからＩＣ７，１０７を介してホールメインコンピュータ４４，１４４に各々出力される。ここで、ＩＣ１，１０１〜ＩＣ８，１０８（ＩＣ７，１０７以外は図示略）を外部接続端子板３４，１３４に設けずにホールメインコンピュータ４４，１４４に設ける構成としてもよい。
【０１３９】
なお、複数の扉の開閉状態について検出する構成として、図８のように扉開放スイッチ３７，１３７によって検出された各扉の開閉状態を示す信号を、主制御装置３０，１３０に入力し、その後主制御装置３０，１３０から外部接続端子３４ｇに出力する構成としてもよい。さらに、図２２のように扉開放スイッチ３７，１３７によって検出された各扉の開閉状態を示す信号を、主制御装置３０，１３０を介さずに外部接続端子３４ｇに直接送信する構成としてもよい。また、上皿や下皿などの扉の開閉状態について検出する構成としてもよい。
【０１４０】
上記複数の扉の開閉状態について検出する構成により、扉開放スイッチ３７，１３７を設置した複数の扉の開閉状態について各々監視することができ、不正された個所をある程度予測することができるという効果を奏する。
【０１４１】
さらに、複数の扉に扉開放スイッチ３７，１３７を備え、該複数の扉の開閉状態について検出する構成の場合には、図２７のように、複数（ここでは３つ）の扉の開閉状態をいっぺんに検出する構成としてもよい。これにより、制御が簡素化でき、かつコスト削減をすることができるという効果を奏する。
【０１４２】
また、上記各実施形態では、扉開放スイッチ３７，１３７を主制御装置３０，１３０と接続する構成であるが、扉開放スイッチ３７，１３７を払出制御装置３１，１３１と接続する構成としてもよい。該構成の場合、払出制御装置３１，１３１から扉開放スイッチに電気信号を出して前面枠１２，１１２等の開閉状態を監視し、前面枠１２，１１２等の開閉状態を示す信号を、払出制御装置３１，１３１から外部接続端子３４ｇ，１３４ｇを介してホールメインコンピュータ４４，１４４に出力する。該信号の出力は、前面枠１２，１１２等が閉鎖状態の場合には、一定の電気信号を出力し続ける。ここで、払出制御装置３１，１３１は枠側に設けられており、同じく枠側に取り付けられている扉開放スイッチ３７，１３７を該払出制御装置３１，１３１に接続する構成とすることで、盤面交換（新台入れ替えによる）を行う際、扉開放スイッチ３７，１３７を払出制御装置３１，１３から取り外さなくてもよい。これにより、盤面交換にかかる時間を短縮することができ、扉開放スイッチ３７，１３７を払出制御装置３１，１３１に付け忘れるということもなくなる。また、主制御装置３０，１３０および払出制御装置３１，１３１は、パチンコ機１０，１１０にとって最も重要な箇所（遊技結果に影響を及ぼすところ）であり、不正が行われないように基板ケースが厳重になっている（カシメられている）。そこに、扉開放スイッチ３７，１３７を接続する構成とすることで、扉開放スイッチ３７，１３７に対して不正行為が行われる可能性を低くすることができる。
【０１４３】
尚、本発明は、上述の実施の形態に限定されるものではなく、本発明の技術的思想を逸脱しない範囲に於いて、改変等を加えることが出来るものであり、それらの改変、均等物等も本発明の技術的範囲に含まれることとなる。
【図面の簡単な説明】
【０１４４】
【図１】本発明を採用したパチンコ機１０を示す外観斜視図である。
【図２】パチンコ機１０を裏面からみた裏面図である。
【図３】パチンコ機１０の遊技盤２２の構成を示す正面図である。
【図４】第１実施形態に係る外部接続端子板３４の拡大図である。
【図５】第１実施形態に係る外部接続端子板３４および各外部接続端子から入出力される信号の内容を示す図である。
【図６】パチンコ機１０の電気的構成を示すブロック図である。
【図７】電源基板３６から電源を供給する構成を示すブロック図である。
【図８】第１実施形態に係る主制御装置３０、外部接続端子板３４、扉開放スイッチ３７、およびホールメインコンピュータ４４の電気的構成と、出力される信号を示す図である。
【図９】主制御装置３０、外部接続端子板３４、扉開放スイッチ３７、およびホールメインコンピュータ４４の電気的構成を示す図である。
【図１０】第１実施形態に係る扉開放監視等を行うための電源を示すブロック図である。
【図１１】電源基板３６と主制御装置３０、演出図柄制御装置３２、サブ制御装置３５との関係を示すブロック図である。
【図１２】投入時リセット回路８４の構成を示す回路図である。
【図１３】バックアップ電圧監視回路８５の構成を示す回路図である。
【図１４】電源投入時の状態を示すタイミングチャートである。
【図１５】電源遮断時の状態を示すタイミングチャートである。
【図１６】主制御装置３０の電源断発生時処理を示すフローチャートである。
【図１７】主制御装置３０の電源断時扉監視処理を示すフローチャートである。
【図１８】主制御装置３０の電源投入時処理を示すフローチャートである。
【図１９】第１実施形態の変形例１に係る扉開放スイッチ３７および主制御装置３０から出力される信号を示す図である。
【図２０】第１実施形態の変形例２に係る主制御装置３０、外部接続端子板３４、扉開放スイッチ３７、およびホールメインコンピュータ４４の電気的構成と、出力される信号を示す図である。
【図２１】第１実施形態の変形例２に係る主制御装置３０、外部接続端子板３４、扉開放スイッチ３７、およびホールメインコンピュータ４４の電気的構成を示す図である。
【図２２】第１実施形態の変形例３に係る主制御装置３０、外部接続端子板３４、扉開放スイッチ３７、およびホールメインコンピュータ４４の電気的構成を示す図である。
【図２３】第１実施形態の変形例３に係る主制御装置３０、外部接続端子板３４、扉開放スイッチ３７、およびホールメインコンピュータ４４の電気的構成を示す図である。
【図２４】第２実施形態に係る扉開放監視等を行うための電源を示すブロック図である。
【図２５】第２実施形態の変形例２に係る扉開放監視等を行うための電源を示すブロック図である。
【図２６】主制御装置３０、外部接続端子板３４、複数の扉開放スイッチ３７、およびホールメインコンピュータ４４の電気的構成を示す図である。
【図２７】主制御装置３０、外部接続端子板３４、複数の扉開放スイッチ３７、およびホールメインコンピュータ４４の電気的構成を示す図である。
【符号の説明】
【０１４５】
１０・・・パチンコ機 １２・・・前面枠
２２・・・遊技盤 ３０・・・主制御装置
３０ｂ・・・通常ＲＡＭ
３０ｃ・・・電源遮断状態専用ＲＡＭ
３１・・・払出制御装置 ３２・・・演出図柄制御装置
３４・・・外部接続端子板 ３４ａ〜３４i・・・外部接続端子
３５・・・サブ制御装置 ３６・・・電源基板
３７・・・扉開放スイッチ ４４・・・ホールコンピュータ
９８・・・バックアップ電池
【図１】
2006223658.tif 000003
【図２】
2006223658.tif 000004
【図３】
2006223658.tif 000005
【図４】
2006223658.tif 000006
【図５】
2006223658.tif 000007
【図６】
2006223658.tif 000008
【図７】
2006223658.tif 000009
【図８】
2006223658.tif 000010
【図９】
2006223658.tif 000011
【図１０】
2006223658.tif 000012
【図１１】
2006223658.tif 000013
【図１２】
2006223658.tif 000014
【図１３】
2006223658.tif 000015
【図１４】
2006223658.tif 000016
【図１５】
2006223658.tif 000017
【図１６】
2006223658.tif 000018
【図１７】
2006223658.tif 000019
【図１８】
2006223658.tif 000020
【図１９】
2006223658.tif 000021
【図２０】
2006223658.tif 000022
【図２１】
2006223658.tif 000023
【図２２】
2006223658.tif 000024
【図２３】
2006223658.tif 000025
【図２４】
2006223658.tif 000026
【図２５】
2006223658.tif 000027
【図２６】
2006223658.tif 000028
【図２７】
2006223658.tif 000029